【手続補正書】
【提出日】平成24年10月11日(2012.10.11)
【手続補正１】
【補正対象書類名】特許請求の範囲
【補正対象項目名】全文
【補正方法】変更
【補正の内容】
【特許請求の範囲】
【請求項１】
太陽電池モジュールを備える太陽光発電システムであって、
平行に配置された複数の桟を備え、
前記太陽電池モジュールは、太陽電池パネルと、前記太陽電池パネルの裏面に固定されたテンションバーとを有し、
前記テンションバーの両端を前記複数の桟に架け渡して支持したことを特徴とする太陽光発電システム。
【請求項２】
太陽電池モジュールを備える太陽光発電システムであって、
平行に配置された複数の桟を備え、
前記太陽電池モジュールは、太陽電池パネルと、前記太陽電池パネルの一辺と並行に固定されたテンションバーとを有し、
前記テンションバーの両端を前記複数の桟に架け渡して支持したことを特徴とする太陽光発電システム。
【請求項３】
太陽電池モジュールを備える太陽光発電システムであって、
平行に配置された複数の桟を備え、
前記太陽電池モジュールは、太陽電池パネルと、前記太陽電池パネルの一辺と並行にかつ前記並行な辺からは離間されて固定されたテンションバーとを有し、
前記テンションバーの両端を前記複数の桟に架け渡して支持したことを特徴とする太陽光発電システム。
【請求項４】
太陽電池モジュールを備える太陽光発電システムであって、
平行に配置された複数の桟を備え、
前記太陽電池モジュールは、太陽電池パネルと、前記太陽電池パネルの一辺と並行に固定されたテンションバーとを有し、
前記テンションバーの両端を前記複数の桟に架け渡して支持し、
少なくとも１つの桟は、該桟の延長方向の両側に複数の太陽電池モジュールを支持することを特徴とする太陽光発電システム。
【請求項５】
請求項１〜４のいずれか１つに記載の太陽光発電システムであって、
前記桟上に配置された案内支持部と、
前記案内支持部の片端側に設けられたストッパーとを備え、
前記案内支持部は、前記桟と平行な嵌合溝を有し、
前記テンションバーの端には、前記案内支持部の嵌合溝の開口された一端から挿入されて、前記嵌合溝に嵌合し、前記嵌合溝の片端側のストッパーに当接する嵌合部と、前記桟に当接して、前記案内支持部の嵌合溝に対する前記テンションバーの嵌合部の位置を定める当接部とを設けたことを特徴とする太陽光発電システム。
【請求項６】
請求項５に記載の太陽光発電システムであって、
前記太陽電池パネルの端部は、前記テンションバーの端を支持する前記案内支持部の上方に迫り出して、前記案内支持部を覆うことを特徴とする太陽光発電システム。
【請求項７】
請求項５又は６に記載の太陽光発電システムの施工方法であって、
前記太陽電池モジュールのテンションバーの両端を前記各桟に架け渡して、前記テンションバーの両端をそれぞれの桟上で前記各案内支持部の位置から外して配置し、前記テンションバーの一端を前記各桟の長手方向でスライド可能に該各桟の低い方側に当接させて、前記テンションバーの両端を前記各桟上でスライドさせ、前記テンションバーの両端に設けられた嵌合部を前記各桟上の案内支持部の嵌合溝に挿入し嵌合させて、前記テンションバーの当接部をストッパーに当接させるスライド嵌合工程を含み、
複数の前記太陽電池モジュールについて前記スライド嵌合工程を逐次繰り返すことにより、前記各太陽電池モジュールを前記各桟上に順次並べて支持することを特徴とする太陽光発電システムの施工方法。
【請求項８】
太陽電池モジュールを支持する太陽電池モジュール支持構造であって、
前記太陽電池モジュールの端が載せられる桟と、
前記桟上に配置された案内支持部と、
前記案内支持部の片端側に設けられたストッパーとを備え、
前記太陽電池モジュールは、太陽電池パネルと、前記太陽電池パネルの裏面に固定されて、前記桟に載せられるテンションバーとを有しており、
前記案内支持部は、前記桟と平行な嵌合溝を有し、
前記テンションバーの端には、前記桟の長手方向にスライドされることにより、前記案内支持部の嵌合溝の開口された一端から挿入されて前記嵌合溝に嵌合し、前記ストッパーに当接する嵌合部が設けられたことを特徴とする太陽電池モジュール支持構造。
【請求項９】
請求項８に記載の太陽電池モジュール支持構造であって、
前記太陽電池パネルの端部は、前記テンションバーの端を支持する前記案内支持部の上方に迫り出して、前記案内支持部を覆うことを特徴とする太陽電池モジュール支持構造。
【請求項１０】
太陽電池モジュールを支持する太陽電池モジュール用架台であって、
前記太陽電池モジュールの端が載せられる桟と、
前記桟上に配置された案内支持部と、
前記案内支持部の片端側に設けられたストッパーとを備え、
前記太陽電池モジュールは、太陽電池パネルと、前記太陽電池パネルの裏面に固定されて、前記桟に載せられるテンションバーとを有しており、
前記案内支持部には、前記太陽電池モジュールのテンションバーの端の一部が前記桟の長手方向にスライドして嵌合し前記ストッパーに当接するように、少なくとも前記ストッパーとは反対側の一端を開口し、前記桟の長手方向に延びる嵌合溝が設けられたことを特徴とする太陽電池モジュール用架台。
【請求項１１】
複数の太陽電池モジュールを支持する太陽電池モジュール用架台であって、
平行に配置された複数の桟と、
前記各桟上に間隔を開けて配置された複数の案内支持部と、
前記各案内支持部の片端側に設けられたそれぞれのストッパーとを備え、
前記太陽電池モジュールは、太陽電池パネルと、前記太陽電池パネルの裏面に固定されて、前記桟に載せられるテンションバーとを有しており、
前記各案内支持部には、前記太陽電池モジュールのテンションバーの端に設けられた嵌合部が前記桟の長手方向にスライドして嵌合し前記ストッパーに当接するように、少なくとも前記ストッパーとは反対側の一端を開口し、前記桟の長手方向に延びる嵌合溝が設けられたことを特徴とする太陽電池モジュール用架台。
【請求項１２】
請求項１１に記載の太陽電池モジュール用架台の施工方法であって、
前記太陽電池モジュールのテンションバーの両端を前記各桟に架け渡して、前記テンションバーの両端をそれぞれの桟上で前記各案内支持部の位置から外して配置し、前記テンションバーの一端を前記各桟の低い方側で該各桟の長手方向にスライド可能に当接させて、前記テンションバーの両端を前記各桟上でスライドさせ、前記テンションバーの両端に設けられた嵌合部を前記各桟上の案内支持部の嵌合溝に挿入し嵌合させてストッパーに当接させるスライド嵌合工程を含み、
複数の前記太陽電池モジュールについて前記スライド嵌合工程を逐次繰り返すことにより、前記各太陽電池モジュールを前記各桟上に順次並べて支持することを特徴とする太陽電池モジュール用架台の施工方法。
【請求項１３】
構造物を支持する構造物支持構造であって、
前記構造物の端が載せられる桟と、
前記桟上に配置された案内支持部と、
前記案内支持部の片端側に設けられたストッパーとを備え、
前記案内支持部は、前記桟と平行な嵌合溝を有し、
前記構造物の端には、前記桟の長手方向に前記桟上面でスライドされて、前記案内支持部の嵌合溝の開口された一端から挿入され前記嵌合溝に嵌合し、前記嵌合溝の片端側のストッパーに当接する嵌合部が設けられており、
前記構造物の嵌合部が前記案内支持部の前記嵌合溝に嵌合した状態で、前記桟と前記案内支持部とにより前記構造物の一部を挟むようにして、前記案内支持部が前記桟に固定されたことを特徴とする構造物支持構造。
【手続補正２】
【補正対象書類名】明細書
【補正対象項目名】発明の名称
【補正方法】変更
【補正の内容】
【発明の名称】太陽光発電システム、その施工方法、太陽電池モジュール支持構造、太陽電池モジュール用架台、その施工方法、及び構造物支持構造
【手続補正３】
【補正対象書類名】明細書
【補正対象項目名】０００１
【補正方法】変更
【補正の内容】
【０００１】
本発明は、太陽光発電システム、太陽光発電システムの施工方法、太陽電池モジュール支持構造、太陽電池モジュール用架台、太陽電池モジュール用架台の施工方法、及び構造物支持構造に関する。
【手続補正４】
【補正対象書類名】明細書
【補正対象項目名】０００８
【補正方法】変更
【補正の内容】
【０００８】
そこで、本発明は、上記従来の問題点に鑑みてなされたものであり、太陽電池モジュール等の構造物の取付け作業が容易でありかつ安全な太陽光発電システム、太陽光発電システムの施工方法、太陽電池モジュール支持構造、太陽電池モジュール用架台、太陽電池モジュール用架台の施工方法、及び構造物支持構造を提供することを目的とする。
【手続補正５】
【補正対象書類名】明細書
【補正対象項目名】０００９
【補正方法】変更
【補正の内容】
【０００９】
上記課題を解決するために、本発明の太陽光発電システムは、太陽電池モジュールを備える太陽光発電システムであって、平行に配置された複数の桟を備え、前記太陽電池モジュールは、太陽電池パネルと、前記太陽電池パネルの裏面に固定されたテンションバーとを有し、前記テンションバーの両端を前記複数の桟に架け渡して支持している。
【手続補正６】
【補正対象書類名】明細書
【補正対象項目名】００１０
【補正方法】変更
【補正の内容】
【００１０】
また、本発明の太陽光発電システムは、太陽電池モジュールを備える太陽光発電システムであって、平行に配置された複数の桟を備え、前記太陽電池モジュールは、太陽電池パネルと、前記太陽電池パネルの一辺と並行に固定されたテンションバーとを有し、前記テンションバーの両端を前記複数の桟に架け渡して支持している。
【手続補正７】
【補正対象書類名】明細書
【補正対象項目名】００１１
【補正方法】変更
【補正の内容】
【００１１】
あるいは、本発明の太陽光発電システムは、太陽電池モジュールを備える太陽光発電システムであって、平行に配置された複数の桟を備え、前記太陽電池モジュールは、太陽電池パネルと、前記太陽電池パネルの一辺と並行にかつ前記並行な辺からは離間されて固定されたテンションバーとを有し、前記テンションバーの両端を前記複数の桟に架け渡して支持している。
【手続補正８】
【補正対象書類名】明細書
【補正対象項目名】００１２
【補正方法】変更
【補正の内容】
【００１２】
また、本発明の太陽光発電システムは、太陽電池モジュールを備える太陽光発電システムであって、平行に配置された複数の桟を備え、前記太陽電池モジュールは、太陽電池パネルと、前記太陽電池パネルの一辺と並行に固定されたテンションバーとを有し、前記テンションバーの両端を前記複数の桟に架け渡して支持し、少なくとも１つの桟は、該桟の延長方向の両側に複数の太陽電池モジュールを支持している。
【手続補正９】
【補正対象書類名】明細書
【補正対象項目名】００１３
【補正方法】変更
【補正の内容】
【００１３】
このような太陽光発電システムによれば、太陽電池パネル裏面のテンションバーの両端を複数の桟に架け渡して支持した構造を有し、テンションバーが各桟を補強するという機能を果たす。換言すれば、テンションバーは、太陽電池パネル及びテンションバーからなる太陽電池モジュールを構成するだけではなく、太陽電池モジュールを支持する架台の部品としての機能も果たす。これにより、太陽光発電システムの部品点数及びコストの大幅な削減が可能になる。
【手続補正１０】
【補正対象書類名】明細書
【補正対象項目名】００１４
【補正方法】変更
【補正の内容】
【００１４】
また、本発明の太陽光発電システムは、前記桟上に配置された案内支持部と、前記案内支持部の片端側に設けられたストッパーとを備え、前記案内支持部は、前記桟と平行な嵌合溝を有し、前記テンションバーの端には、前記案内支持部の嵌合溝の開口された一端から挿入されて、前記嵌合溝に嵌合し、前記嵌合溝の片端側のストッパーに当接する嵌合部と、前記桟に当接して、前記案内支持部の嵌合溝に対する前記テンションバーの嵌合部の位置を定める当接部とを設けている。
【手続補正１１】
【補正対象書類名】明細書
【補正対象項目名】００１５
【補正方法】変更
【補正の内容】
【００１５】
この場合、テンションバーの当接部の当接によりテンションバーの嵌合部が位置決めされるので、テンションバーの嵌合部を桟上の案内支持部の嵌合溝に容易に嵌合させることができ、またテンションバーの当接部の当接によりテンションバー（太陽電池モジュール）の移動が制限されて、作業の安全性が向上する。
【手続補正１２】
【補正対象書類名】明細書
【補正対象項目名】００１６
【補正方法】変更
【補正の内容】
【００１６】
また、本発明の太陽光発電システムにおいては、前記太陽電池パネルの端部は、前記テンションバーの端を支持する前記案内支持部の上方に迫り出して、前記案内支持部を覆っている。
【手続補正１３】
【補正対象書類名】明細書
【補正対象項目名】００１７
【補正方法】変更
【補正の内容】
【００１７】
この場合は、案内支持部が太陽電池パネルの端部により覆い隠されるので、案内支持部が露出しないか殆ど露出せず、好ましい外観が得られる。
【手続補正１４】
【補正対象書類名】明細書
【補正対象項目名】００１８
【補正方法】変更
【補正の内容】
【００１８】
次に、本発明の太陽光発電システムの施工方法は、前記太陽電池モジュールのテンションバーの両端を前記各桟に架け渡して、前記テンションバーの両端をそれぞれの桟上で前記各案内支持部の位置から外して配置し、前記テンションバーの一端を前記各桟の長手方向でスライド可能に該各桟の低い方側に当接させて、前記テンションバーの両端を前記各桟上でスライドさせ、前記テンションバーの両端に設けられた嵌合部を前記各桟上の案内支持部の嵌合溝に挿入し嵌合させて、前記テンションバーの当接部をストッパーに当接させるスライド嵌合工程を含み、複数の前記太陽電池モジュールについて前記スライド嵌合工程を逐次繰り返すことにより、前記各太陽電池モジュールを前記各桟上に順次並べて支持している。
【手続補正１５】
【補正対象書類名】明細書
【補正対象項目名】００１９
【補正方法】変更
【補正の内容】
【００１９】
このような太陽光発電システムの施工方法によれば、太陽電池モジュールのテンションバーの両端をそれぞれの桟上で各案内支持部の位置から外して配置してから、テンションバーの両端を各桟上でスライドさせて、テンションバーの両端の嵌合部を各桟上の案内支持部の嵌合溝に挿入し嵌合させてストッパーに当接させている。このようなスライド嵌合工程を逐次繰り返すことにより、複数の太陽電池モジュールを各桟上に順次並べて支持することができる。
【手続補正１６】
【補正対象書類名】明細書
【補正対象項目名】００２０
【補正方法】変更
【補正の内容】
【００２０】
次に、本発明の太陽電池モジュール支持構造は、太陽電池モジュールを支持する太陽電池モジュール支持構造であって、前記太陽電池モジュールの端が載せられる桟と、前記桟上に配置された案内支持部と、前記案内支持部の片端側に設けられたストッパーとを備え、前記太陽電池モジュールは、太陽電池パネルと、前記太陽電池パネルの裏面に固定されて、前記桟に載せられるテンションバーとを有しており、前記案内支持部は、前記桟と平行な嵌合溝を有し、前記テンションバーの端には、前記桟の長手方向にスライドされることにより、前記案内支持部の嵌合溝の開口された一端から挿入されて前記嵌合溝に嵌合し、前記ストッパーに当接する嵌合部が設けられている。
【手続補正１７】
【補正対象書類名】明細書
【補正対象項目名】００２１
【補正方法】変更
【補正の内容】
【００２１】
このような太陽電池モジュール支持構造によれば、太陽電池モジュールのテンションバーの端が桟上でスライドされると、テンションバーの端の嵌合部が案内支持部の嵌合溝に挿入されて嵌合しストッパーに当接する。このため、太陽電池パネルとその裏面のテンションバーからなる構造物（太陽電池モジュール）を容易に取付けることができ、またその作業の安全性を確保することができる。
【手続補正１８】
【補正対象書類名】明細書
【補正対象項目名】００２２
【補正方法】変更
【補正の内容】
【００２２】
また、本発明の太陽電池モジュール支持構造においては、前記太陽電池パネルの端部は、前記テンションバーの端を支持する前記案内支持部の上方に迫り出して、前記案内支持部を覆っている。
【手続補正１９】
【補正対象書類名】明細書
【補正対象項目名】００２３
【補正方法】変更
【補正の内容】
【００２３】
次に、本発明の太陽電池モジュール用架台は、太陽電池モジュールを支持する太陽電池モジュール用架台であって、前記太陽電池モジュールの端が載せられる桟と、前記桟上に配置された案内支持部と、前記案内支持部の片端側に設けられたストッパーとを備え、前記太陽電池モジュールは、太陽電池パネルと、前記太陽電池パネルの裏面に固定されて、前記桟に載せられるテンションバーとを有しており、前記案内支持部には、前記太陽電池モジュールのテンションバーの端の一部が前記桟の長手方向にスライドして嵌合し前記ストッパーに当接するように、少なくとも前記ストッパーとは反対側の一端を開口し、前記桟の長手方向に延びる嵌合溝が設けられている。
【手続補正２０】
【補正対象書類名】明細書
【補正対象項目名】００２４
【補正方法】変更
【補正の内容】
【００２４】
また、本発明の太陽電池モジュール用架台は、複数の太陽電池モジュールを支持する太陽電池モジュール用架台であって、平行に配置された複数の桟と、前記各桟上に間隔を開けて配置された複数の案内支持部と、前記各案内支持部の片端側に設けられたそれぞれのストッパーとを備え、前記太陽電池モジュールは、太陽電池パネルと、前記太陽電池パネルの裏面に固定されて、前記桟に載せられるテンションバーとを有しており、前記各案内支持部には、前記太陽電池モジュールのテンションバーの端に設けられた嵌合部が前記桟の長手方向にスライドして嵌合し前記ストッパーに当接するように、少なくとも前記ストッパーとは反対側の一端を開口し、前記桟の長手方向に延びる嵌合溝が設けられている。
【手続補正２１】
【補正対象書類名】明細書
【補正対象項目名】００２５
【補正方法】変更
【補正の内容】
【００２５】
このような太陽電池モジュール用架台でも、太陽電池モジュールのテンションバーの端が桟上でスライドされると、テンションバーの端の一部もしくは嵌合部が案内支持部の嵌合溝に挿入されて嵌合しストッパーに当接する。このため、太陽電池パネルとその裏面のテンションバーからなる構造物（太陽電池モジュール）を容易に取付けることができ、またその作業の安全性を確保することができる。
【手続補正２２】
【補正対象書類名】明細書
【補正対象項目名】００２６
【補正方法】変更
【補正の内容】
【００２６】
次に、本発明の太陽電池モジュール用架台の施工方法は、前記太陽電池モジュールのテンションバーの両端を前記各桟に架け渡して、前記テンションバーの両端をそれぞれの桟上で前記各案内支持部の位置から外して配置し、前記テンションバーの一端を前記各桟の低い方側で該各桟の長手方向にスライド可能に当接させて、前記テンションバーの両端を前記各桟上でスライドさせ、前記テンションバーの両端に設けられた嵌合部を前記各桟上の案内支持部の嵌合溝に挿入し嵌合させてストッパーに当接させるスライド嵌合工程を含み、複数の前記太陽電池モジュールについて前記スライド嵌合工程を逐次繰り返すことにより、前記各太陽電池モジュールを前記各桟上に順次並べて支持している。
【手続補正２３】
【補正対象書類名】明細書
【補正対象項目名】００２７
【補正方法】変更
【補正の内容】
【００２７】
このような太陽電池モジュール用架台の施工方法によれば、太陽電池モジュールのテンションバーの両端をそれぞれの桟上で各案内支持部の位置から外して配置してから、テンションバーの両端を各桟上でスライドさせて、テンションバーの両端の嵌合部を各桟上の案内支持部の嵌合溝に挿入し嵌合させてストッパーに当接させている。このようなスライド嵌合工程を逐次繰り返すことにより、複数の太陽電池モジュールを各桟上に順次並べて支持することができる。
【手続補正２４】
【補正対象書類名】明細書
【補正対象項目名】００２８
【補正方法】変更
【補正の内容】
【００２８】
次に、本発明の構造物支持構造は、構造物を支持する構造物支持構造であって、前記構造物の端が載せられる桟と、前記桟上に配置された案内支持部と、前記案内支持部の片端側に設けられたストッパーとを備え、前記案内支持部は、前記桟と平行な嵌合溝を有し、前記構造物の端には、前記桟の長手方向に前記桟上面でスライドされて、前記案内支持部の嵌合溝の開口された一端から挿入され前記嵌合溝に嵌合し、前記嵌合溝の片端側のストッパーに当接する嵌合部が設けられており、前記構造物の嵌合部が前記案内支持部の前記嵌合溝に嵌合した状態で、前記桟と前記案内支持部とにより前記構造物の一部を挟むようにして、前記案内支持部が前記桟に固定されている。
【手続補正２５】
【補正対象書類名】明細書
【補正対象項目名】００２９
【補正方法】変更
【補正の内容】
【００２９】
このような構造物支持構造によれば、構造物の端が桟上でスライドされると、構造物の嵌合部が案内支持部の嵌合溝に挿入されて嵌合しストッパーに当接する。このため、構造物の嵌合部を案内支持部の嵌合溝に容易に嵌合させることができる。
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】削除
【補正の内容】
【手続補正３０】
【補正対象書類名】明細書
【補正対象項目名】００３４
【補正方法】削除
【補正の内容】
【手続補正３１】
【補正対象書類名】明細書
【補正対象項目名】００３５
【補正方法】削除
【補正の内容】
【手続補正３２】
【補正対象書類名】明細書
【補正対象項目名】００３６
【補正方法】削除
【補正の内容】
【手続補正３３】
【補正対象書類名】明細書
【補正対象項目名】００３７
【補正方法】削除
【補正の内容】
【手続補正３４】
【補正対象書類名】明細書
【補正対象項目名】００３８
【補正方法】削除
【補正の内容】
【手続補正３５】
【補正対象書類名】明細書
【補正対象項目名】００３９
【補正方法】削除
【補正の内容】
【手続補正３６】
【補正対象書類名】明細書
【補正対象項目名】００４０
【補正方法】削除
【補正の内容】
【手続補正３７】
【補正対象書類名】明細書
【補正対象項目名】００４１
【補正方法】削除
【補正の内容】
【手続補正３８】
【補正対象書類名】明細書
【補正対象項目名】００４２
【補正方法】削除
【補正の内容】
【手続補正３９】
【補正対象書類名】明細書
【補正対象項目名】００４３
【補正方法】削除
【補正の内容】
【手続補正４０】
【補正対象書類名】明細書
【補正対象項目名】００４４
【補正方法】削除
【補正の内容】
【手続補正４１】
【補正対象書類名】明細書
【補正対象項目名】００４５
【補正方法】削除
【補正の内容】
【手続補正４２】
【補正対象書類名】明細書
【補正対象項目名】００４６
【補正方法】削除
【補正の内容】
【手続補正４３】
【補正対象書類名】明細書
【補正対象項目名】００４７
【補正方法】削除
【補正の内容】
【手続補正４４】
【補正対象書類名】明細書
【補正対象項目名】００４８
【補正方法】削除
【補正の内容】
【手続補正４５】
【補正対象書類名】明細書
【補正対象項目名】００４９
【補正方法】削除
【補正の内容】
【手続補正４６】
【補正対象書類名】明細書
【補正対象項目名】００５０
【補正方法】削除
【補正の内容】
【手続補正４７】
【補正対象書類名】明細書
【補正対象項目名】００５１
【補正方法】削除
【補正の内容】
【手続補正４８】
【補正対象書類名】明細書
【補正対象項目名】００５２
【補正方法】削除
【補正の内容】
【手続補正４９】
【補正対象書類名】明細書
【補正対象項目名】００５３
【補正方法】削除
【補正の内容】
【手続補正５０】
【補正対象書類名】明細書
【補正対象項目名】００５４
【補正方法】削除
【補正の内容】
【手続補正５１】
【補正対象書類名】明細書
【補正対象項目名】００５５
【補正方法】削除
【補正の内容】
【手続補正５２】
【補正対象書類名】明細書
【補正対象項目名】００５６
【補正方法】削除
【補正の内容】
【手続補正５３】
【補正対象書類名】明細書
【補正対象項目名】００５７
【補正方法】削除
【補正の内容】
【手続補正５４】
【補正対象書類名】明細書
【補正対象項目名】００５８
【補正方法】削除
【補正の内容】
【手続補正５５】
【補正対象書類名】明細書
【補正対象項目名】００５９
【補正方法】削除
【補正の内容】
【手続補正５６】
【補正対象書類名】明細書
【補正対象項目名】００６０
【補正方法】削除
【補正の内容】